(57)【特許請求の範囲】
【請求項１】
室内障子の縦框に固定される取付けベースと、この取付けベースに対してクレセント軸を介して回動自在に取り付けられたクレセントと、前記クレセント軸に一体的に固設された操作レバーと、前記取付けベース内において前記クレセント軸に一体的に固設され、周囲に衝合凸部を備えたサブロック用回転子と、前記取付けベースの側壁に上下方向にスライド可能に設けられ、施錠状態において、一端側にスライドさせることにより前記操作レバーが解錠操作されても前記サブロック用回転子の衝合凸部が衝合することにより解錠を阻止するサブロック用ストッパー片とを備えたサブロック機構付クレセント錠において、
前記サブロック用ストッパー片の内、少なくとも前記サブロック用回転子の衝合凸部が衝合する部分を金属部材によって構成し、かつ前記金属部材は前記取付けベースの側壁に面的に接触する圧力分散壁を一体的に備えてなることを特徴とするサブロック機構付クレセント錠。
【請求項２】
室内障子及び室外障子が共に閉鎖された状態時のみに施錠を可能とした空掛け防止機構を備えた請求項１記載のサブロック機構付クレセント錠。
【発明の詳細な説明】
【技術分野】
【０００１】
本発明は、防犯機能の向上のためにサブロック機構を備えたクレセント錠に関する。
【背景技術】
【０００２】
従来より、引き違い窓等のサッシ用施錠装置としてクレセント錠が知られている。このクレセント錠は、図５に示されるように、室内障子の縦框（召合せ框）に取り付けられる取付けベース５０と、この取付けベース５０に対してクレセント軸５１を介して回動自在に取り付けられたクレセント５２とからなるもので、このクレセント５２に一体的に連結された操作レバー５３を掴み、ほぼ１８０°の範囲で回動させることにより、クレセント５２を室外側障子に取り付けられた係止金具（図示せず）に対して係脱させるようにした引き違い障子等のための施錠装置である。
【０００３】
近年、この種のクレセント錠においても、同図及び下記特許文献１、２に示されるように、防犯等の配慮から施錠状態において、クレセント５２の回動を阻止するために上下方向にスライド操作されるサブロック用ストッパー片５４を設けた、いわゆるサブロック機構が採用されるようになってきた。
【０００４】
上記クレセントにおけるサブロック機構は、クレセントが衝合するストッパー片をスライド可能に取付けベースに対して設けるものであるが、サブロック機構の中には、例えば図６に示されるように、取付けベース６０内においてクレセント軸６１に対して一体的に回動可能なように、衝合凸部６２ａを備えた回転子６２を設け、この回転子６２をサブロック用ストッパー片６３に衝合させることにより補助施錠を成すようにしたクレセント錠が存在する。
【０００５】
一方、上記クレセント錠の場合は、内障子又は外障子が開放状態にあっても、クレセントを回動させることが可能であり、この施錠状態のまま障子を閉めると、外障子の縦框（召合せ框含む。）が室外側に突出したクレセントに衝突し、クレセントが変形したり損傷したりすることがあった。
【０００６】
そこで、上記問題を解決するために、例えば下記特許文献３〜５に記載されるように、内障子及び外障子が正常閉鎖位置にあるとき以外はクレセント錠のハンドルが施錠方向に回転しないようにした、いわゆる空掛け防止クレセント錠も近年提案されている。
【特許文献１】特開２００２−３５７０３６号公報
【特許文献２】特開２００３−１７２０５８号公報
【特許文献３】特開平１１−９３４８８号公報
【特許文献４】特開平９−２１７５３７号公報
【特許文献５】特開平９−１５８５８４号公報
【発明の開示】
【発明が解決しようとする課題】
【０００７】
しかしながら、図６に示されるクレセント錠のように、取付けベース６０の空間内に余裕をもって回転子６２を設ける構造の場合は、回転子６２の衝合凸部６２ａを所要の寸法とし、ストッパー片６３に対してきっちりと衝合させることが可能であるが、前記空掛け防止機構付クレセント錠のように、取付けベース内に空掛け用部品を組み込むような場合には、回転子６２の衝合凸部面積を大きく取ることができず、施錠状態から無理に解錠しようとした際に、前記衝合凸部によってストッパー片（樹脂）の一部がそぎ取られることがあった。
【０００８】
また、前記空掛け用部品を組み込む構造上、前記回転子６２の衝合凸部６２ａを取付けベース６０の底面から離間させて設けるような場合、施錠状態から無理に解錠しようとした際に、ストッパー片６３を介して取付けベース６０の側壁を膨出させるように変形させ、取付けベース６０を破損させることがあった。
【０００９】
そこで本発明の主たる課題は、サブロック用回転子の衝合凸部の面積を大きく取ることができない構造条件であっても、ストッパー片の破損を無くすとともに、前記サブロック用回転子からストッパー片が大きな力を受け、取付けベースの側壁が変形し易い構造条件であっても、取付けベースの側壁の変形を抑え破損を防止したサブロック機構付クレセント錠を提供することにある。
【課題を解決するための手段】
【００１０】
前記課題を解決するために請求項１に係る本発明として、室内障子の縦框に固定される取付けベースと、この取付けベースに対してクレセント軸を介して回動自在に取り付けられたクレセントと、前記クレセント軸に一体的に固設された操作レバーと、前記取付けベース内において前記クレセント軸に一体的に固設され、周囲に衝合凸部を備えたサブロック用回転子と、前記取付けベースの側壁に上下方向にスライド可能に設けられ、施錠状態において、一端側にスライドさせることにより前記操作レバーが解錠操作されても前記サブロック用回転子の衝合凸部が衝合することにより解錠を阻止するサブロック用ストッパー片とを備えたサブロック機構付クレセント錠において、
前記サブロック用ストッパー片の内、少なくとも前記サブロック用回転子の衝合凸部が衝合する部分を金属部材によって構成し、かつ前記金属部材は前記取付けベースの側壁に面的に接触する圧力分散壁を一体的に備えてなることを特徴とするサブロック機構付クレセント錠が提供される。
【００１１】
上記請求項１記載の発明においては、サブロック用ストッパー片の内、少なくともサブロック用回転子の衝合凸部が衝合する部分を金属部材によって構成し、かつ前記金属部材は前記取付けベースの側壁に面的に接触する圧力分散壁を一体的に備えるようにしてある。従って、サブロック用回転子の衝合凸部の面積を大きく取ることができない構造条件であっても、施錠状態から無理に解錠しようとした際、前記サブロック用回転子の衝合凸部はストッパー片の金属部材に衝合するため、ストッパー片がそぎ取られることがなくなる。
【００１２】
また、施錠状態から無理に解錠しようとした際でも、サブロック用回転子からの作用力が前記圧力分散壁によって分散されるようになるため、取付けベースの側壁を膨出させるように変形させたり、破損するのを防止することができる。
【００１３】
請求項２に係る本発明として、室内障子及び室外障子が共に閉鎖された状態時のみに施錠を可能とした空掛け防止機構を備えた請求項１記載のサブロック機構付クレセント錠が提供される。
【発明の効果】
【００１４】
以上詳説のとおり本発明によれば、サブロック用回転子の衝合凸部の面積を大きく取ることができない構造条件であっても、ストッパー片の破損を無くすとともに、前記サブロック用回転子からストッパー片が大きな力を受けた際、取付けベースの側壁が変形し易い構造条件であっても、取付けベースの側壁の変形を抑え破損を防止することができる。
【発明を実施するための最良の形態】
【００１５】
以下、本発明の実施の形態について図面を参照しながら詳述する。
図１は本発明に係るサブロック機構付クレセント錠１の正面図、一部破断側面図、底面図であり、図２は施錠状態を示すサブロック機構付クレセント錠１の裏面図であり、図３はストッパー片の斜視図である。
【００１６】
前記クレセント錠１は、図１および図２に示されるように、室内障子の縦框に固定される裏面が開口した函体状の取付けベース２と、この取付けベース２に対してクレセント軸３を介して回動自在に取り付けられたクレセント４と、前記クレセント軸３に一体的に固設された操作レバー５と、前記取付けベース２内において前記クレセント軸３に一体的に固設され、周囲に衝合凸部６ａを備えたサブロック用回転子６と、前記取付けベース２の側壁に上下方向にスライド可能に設けられ、施錠状態において一端側にスライドさせることにより前記操作レバー５が解錠操作されても前記サブロック用回転子６の衝合凸部６ａが衝合することにより解錠を阻止するサブロック用ストッパー片７（以下、単にストッパー片という。）とを備えるとともに、後述する室内障子及び室外障子が共に閉鎖された状態時のみに施錠を可能とした空掛け防止機構を備えたクレセント錠であり、室外障子の召合せ框に前記クレセント４を係脱させるためのクレセント受け金具（図示せず）が設けられる。
【００１７】
前記クレセント錠１は、前記操作レバー５を摘み、クレセント４をほぼ１８０度範囲で回動させることにより、クレセント４の周囲に形成された、壁高を漸次テーパー状に変化させた環状周壁４ａが前記クレセント受け金具に対して係脱し、窓の施錠または解錠が成されるようになっている。なお、符号８は取付けベース２の一端と、サブロック用回転子６とを連結しているバネ部材であり、クレセント４の回動時に操作レバー５が水平の状態から施錠位置および解錠位置に対して付勢させるためのものである。
【００１８】
前記ストッパー片７は、図２に示されるように、施錠状態において、下側にスライドさせることにより、前記操作レバー５が解錠操作されても前記サブロック用回転子６の衝合凸部６ａが衝合することにより解錠（回動操作）を阻止するようになっており、下側にスライドさせた状態では、取付けベース２の外壁面に埋め込まれた蛍光材２ａが露出することによりサブロックによる施錠が確認できるように配慮されている。
【００１９】
前記ストッパー片７は、図３に示されるように、該ストッパー片７の内、少なくとも前記サブロック用回転子６の衝合凸部６ａが衝合する部分を金属部材１０によって構成し、かつ前記金属部材１０は前記取付けベース２側壁の内面側に面的に接触する圧力分散壁１０ａを一体的に備え、それ以外の部分は樹脂部材９によって構成されている。
【００２０】
前記ストッパー片７の内、樹脂部分９は、詳細には図４に示されるように、取付けベース２の外側に位置する操作摘み部９ａと、該操作摘み部９ａの略中間であって上部側位置から伸びる連結部９ｂと、該連結部９ｂから下側方向に向け前記操作摘み部９ａに沿って延在するとともに、先端部に操作摘み部９ａ側に向けて小突起９ｄを備えたクリック片９ｃと、前記連結部９ｂから上側方向に向け前記操作摘み部９ａに沿って延在する金属部材１０の保持片部９ｅとを備える。この保持片部９ｅには、金属部材１０を支持するために通孔９ｆ、９ｆが設けられている。前記クリック片９ｃは、取付けベース２に設けられた窪みに小突起９ｄが係合することによりストッパー片７の位置決めを成すものである。
【００２１】
一方、前記金属部分１０は、同図４に示されるように、上面側に２本のピン１０ｂ、１０ｂを備えたブロック状の部材であり、ブロック本体１０ｃの側面が前記サブロック用回転子６の衝合凸部６ａが衝合する面となっている。また、前記ブロック本体１０ｃには垂壁１０ａが一体的に設けられ、この垂壁１０ａが圧力分散壁１０ａを構成している。また、ブロック本体１０ｃの側面には側方に突出する小ブラケット片１０ｄが形成され、後述する空掛け防止用部品（空掛け防止スライダー１１）のスライドガイドを兼ねるようになっている。前記金属部分１０は、削り出しによって製作することも可能であるが、生産性及び製作精度に優れたダイカスト部品とするのが望ましい。
【００２２】
前記樹脂部分９と金属部分１０との一体化は、前記金属部分１０のピン１０ｂ、１０ｂを樹脂部分９の通孔９ｆ、９ｆに圧入することにより、両者が一体化され、図２に示されるように、樹脂部分９の連結部９ｂが取付けベース２の側壁に跨るように取付けベース２に対して取り付けられる。この状態で、金属部分１０に設けられた圧力分散壁１０ａは取付けベース２の側壁の内側に面的に接触する状態となり、サブロック用回転子６から力を受けても、その作用力を分散して取付けベース２の側壁の変形及び破損を防止する。
【００２３】
他方、空掛け防止機構は、図２に示されるように、前記取付けベース２の中空部内に、外部に臨ませたトリガー１１ａを一体的に備えた空掛け防止スライダー１１を配設することによって空掛けが防止されるようになっている。前記空掛け防止スライダー１１は、一端が取付けベース２に係止し、他端が前記空掛け防止スライダー１１に係止するように配設されたスプリング１２によって、前記トリガー１１ａを突出させる方向に常時付勢された状態とされ、室内障子及び室外障子が共に閉鎖された状態では、前記室外障子の框によって前記トリガー１１ａが没入方向に押され、空掛け防止スライダー１１が没入方向にスライドする。この状態では、空掛け防止スライダー１１に設けられた突起１１ｂがサブロック用回転子６から離間するため、操作レバー５を回転操作することが可能となる。しかし、室内障子及び室外障子の内の少なくとも一方が閉鎖されていない状態では、前記空掛け防止スライダー１１はトリガー１１ａが突出する側に定位したままであるため、操作レバー５を回転させようとしてもサブロック用回転子６が前記突起１１ｂに衝合するため回転操作することができない状態となり、クレセントの空掛けが防止される。
【００２４】
〔他の形態例〕
(1)上記形態例では、空掛け防止機構を備えたクレセント錠１に本発明を適用した場合について述べたが、本発明は図６に示されるような空掛け防止機構を有しないクレセント錠に対しても同様に適用が可能である。
【図面の簡単な説明】
【００２５】
【図１】本発明に係るサブロック機構付クレセント錠１を示す、(A)は正面図、(B)は一部破断側面図、(C)は底面図である。
【図２】施錠状態を示すサブロック機構付クレセント錠１の裏面図である。
【図３】ストッパー片７の斜視図である。
【図４】ストッパー片７を示す、(A)は正面図、(B)は左側面図、(C)は右側面図、(D)は上面図、(E)は底面図である。
【図５】従来のサブロック機構付クレセント錠５０を示す、(A)は裏面図、(B)は右側面図である。
【図６】従来のサブロック機構付クレセント錠６０を示す、(A)は正面図、(B)は左側面図、(C)は右側面図、(D)は底面図である。
【符号の説明】
【００２６】
１…サブロック機構付クレセント錠、２…取付けベース、３…クレセント軸、４…クレセント、５…操作レバー、６…サブロック用回転子、７…ストッパー片、８・１２…スプリング、９…樹脂部分、１０…金属部分、１１…空掛け防止スライダー、
【図１】
0004744313.tif 000002
【図２】
0004744313.tif 000003
【図３】
0004744313.tif 000004
【図４】
0004744313.tif 000005
【図５】
0004744313.tif 000006
【図６】
0004744313.tif 000007